(57)【要約】【課題】ＬＯ信号に大きなレベルの雑音が存在していても、その雑音の中間周波信号への影響を低減して、特性が劣化することを防止できるハーモニックミキサ回路を得る。【解決手段】ハーモニックミキサ回路は、受信信号入力端子２２に入力される受信信号と局部発振信号入力端子２１に入力される局部発振信号とを混合して出力信号を得て、出力信号を出力端子２３から出力するハーモニックミキサ回路であって、アンチパラレルダイオード４の局部発振信号が印加される側の信号から、偶数次の変換モードによる信号成分を検出する検出回路３２と、検出回路３２が検出する信号成分を減少させる方向の制御信号をアンチパラレルダイオードに印加する制御回路３３とを備えている。【選択図】図１
2010154048.tif 000002
【特許請求の範囲】
【請求項１】
アンチパラレルダイオードを有し、受信信号入力端子に入力される受信信号と局部発振信号入力端子に入力される局部発振信号とを混合して出力信号を得て、出力信号を出力端子から出力するハーモニックミキサ回路であって、
前記アンチパラレルダイオードの局部発振信号が印加される側の信号から、偶数次の変換モードによる信号成分を検出する検出回路と、
前記検出回路が検出する信号成分を減少させる方向の制御信号を前記アンチパラレルダイオードに印加する制御回路とを備えた
ことを特徴とするハーモニックミキサ回路。
【請求項２】
検出回路は、局部発振信号の周波数の２倍の信号成分を検出する
請求項１記載のハーモニックミキサ回路。
【請求項３】
検出回路は、局部発振信号の周波数の２倍の信号成分を通過させる高域通過フィルタと、高域通過フィルタを通過した信号を検波してその信号のレベルを示す電圧値を出力する検波回路とを含み、
制御回路は、前記検波回路が出力する電圧値を最小にする値の制御電圧を制御信号としてアンチパラレルダイオードに印加する
請求項２記載のハーモニックミキサ回路。
【請求項４】
受信信号として無線周波数信号を扱う
請求項１から請求項３のうちのいずれか１項に記載のハーモニックミキサ回路。
【請求項５】
アンチパラレルダイオードを有し、受信信号と局部発振信号とを混合して出力信号を得るハーモニックミキサ回路の特性劣化を抑制する特性劣化防止方法であって、
前記アンチパラレルダイオードの局部発振信号が印加される側の信号から、偶数次の変換モードによる信号成分を検出し、
検出した信号成分を減少させる方向の制御信号を前記アンチパラレルダイオードに印加する
ことを特徴とする特性劣化防止方法。
【請求項６】
偶数次の変換モードによる信号成分として、局部発振信号の周波数の２倍の信号成分を検出する
請求項５記載の特性劣化防止方法。
【発明の詳細な説明】
【技術分野】
【０００１】
本発明は、無線通信装置において用いられるハーモニックミキサ回路および特性劣化防止方法に関する。
【背景技術】
【０００２】
マイクロ波通信装置やミリ波通信装置におけるミキサ回路等おいて、局部発振信号（以下、ＬＯ信号という。）の周波数を低く抑えることができるハーモニックミキサ回路が用いられることが多い。
【０００３】
通信装置の受信部において使用されるミキサ回路における周波数関係は、以下の関係で表される。
［ｆ＿ＩＦ］＝ｍ×［ｆ＿ＲＦ］±ｎ×［ｆ＿ＬＯ］          ・・・（１）
［ｆ＿ＩＦ］：出力ＩＦ信号（中間周波信号）の周波数
［ｆ＿ＲＦ］：入力ＲＦ信号（無線周波信号）の周波数
［ｆ＿ＬＯ］：入力ＬＯ信号の周波数
ｍ，ｎ：整数
特に、ミキサ回路としてアンチパラレルダイオードを含むハーモニックミキサ回路を用いた場合には、アンチパラレルダイオードが有する特性が奇関数で表させるので、上記の（１）式のうちの「ｍ＋ｎ」の次数が奇数になるものが主に出力されることになる。
【０００４】
通常、［ｆ＿ＲＦ］＝２×［ｆ＿ＬＯ］＋［ｆ＿ＩＦ］という周波数関係になるようにＬＯ信号の周波数を決めることによって、ＲＦ信号からＩＦ信号への変換を効率的に行っている（例えば、特許文献１参照）。なお、特許文献１に記載されているハーモニックミキサ回路はＩＦ信号からＲＦ信号への変換を行う回路であるが、ＬＯ信号の周波数を決め方については、ＲＦ信号からＩＦ信号への変換を行う場合と同様である。
【０００５】
【特許文献１】特開２００１−３０８６４７号公報（段落０００４）
【発明の開示】
【発明が解決しようとする課題】
【０００６】
図４は、入力されたＲＦ信号をＩＦ信号に変換するハーモニックミキサ回路（以下、受信ハーモニックミキサ回路という。）の構成を示す構成図である。図４に示す構成では、アンチパラレルダイオード４の一端Ａに、入力端子１に入力されＬＯ周波数成分の信号のみを通過させる帯域通過フィルタ（ＢＰＦ）７を通過したＬＯ信号が印加される。また、アンチパラレルダイオード４の一端Ａには、整合回路になるスタブ５が接続されている。アンチパラレルダイオード４の他端Ｂに、入力端子２に入力されＲＦ周波数成分の信号のみを通過させるＢＰＦ８を通過したＲＦ信号が印加される。また、アンチパラレルダイオード４の他端Ｂには、整合回路になるスタブ６が接続されている。
【０００７】
また、アンチパラレルダイオード４の一端Ａには、ＩＦ周波数成分の信号およびＤＣ成分を通過させる低域通過フィルタ（ＬＰＦ）９が接続されている。そして、ＬＰＦ９を通過した信号のうちＤＣ成分はコンデンサ（キャパシタ）１０によって除去され、コンデンサ１０を通過した信号が、ＩＦ信号として出力端子３から出力される。また、ＬＰＦ９とコンデンサ１０との間に、ＤＣ成分のみを通過させるＤＣフィード素子としてのＬＰＦ１４が接続されている。
【０００８】
上記のように、一般に、［ｆ＿ＲＦ］＝２×［ｆ＿ＬＯ］＋［ｆ＿ＩＦ］という周波数関係になるようにＬＯ信号の周波数が決定される。しかし、その他にＩＦ信号に変換されるような周波数成分が存在すると、その影響によってＩＦ信号に所望の成分以外の成分が重なって生ずることになり、受信特性に様々な影響を与える。
【０００９】
無線通信において使用されるミキサ回路では、入力信号であるＲＦ信号およびＬＯ信号に不要波が含まれ、不要波がＩＦ帯に変換されるような周波数成分であった場合には、ミキサ回路の特性を劣化させる。
【００１０】
特に、問題になる成分は「ｍ＋ｎ」の低い次数の成分であり、そのうち代表的な成分として下記のような成分が考えられる。
【００１１】
（１）２×［ｆ＿ＬＯ］−［ｆ＿ＩＦ］］（ｍ＋ｎ＝３）
この周波数成分の信号は、一般にイメージ信号と呼ばれている。ＲＦ信号やＬＯ信号にイメージ信号の成分が存在する場合には、イメージ信号がＩＦ信号に変換されてしまうために問題になる。しかし、イメージ信号は、フィルタや位相合成によるイメージリジェクション構成の回路によって抑圧されることが知られている。なお、ＲＦ信号を２×［ｆ＿ＬＯ］−［ｆ＿ＩＦ］にした場合には、２×［ｆ＿ＬＯ］＋［ｆ＿ＩＦ］がイメージ信号になる。そのようなイメージ信号も、フィルタやイメージリジェクション構成の回路によって抑圧可能である。
【００１２】
（２）［ｆ＿ＩＦ］（ｍ＋ｎ＝１）
ＲＦ信号やＬＯ信号にこの周波数成分が含まれる可能性がある場合でも、通常、［ｆ＿ＩＦ］＜＜［ｆ＿ＬＯ］＜［ｆ＿ＲＦ］という関係にあるため、ＲＦ信号やＬＯ信号の信号ラインにＩＦ信号を抑圧するようなフィルタを設けることによって、容易に抑圧可能である。すなわち、この成分の影響を抑圧することは比較的容易である。なお、「＜＜」は、値が大きく異なっていることを示す。
【００１３】
（３）［ｆ＿ＬＯ］±［ｆ＿ＩＦ］（ｍ＋ｎ＝２）
入力端子１に入力される信号として、通常、ＬＯ信号のみの線スペクトラムになるような信号が生成されるので、入力端子１に入力されるＬＯ信号に明確な信号成分としての不要波が存在する可能性は低い。しかし、ＬＯ信号自体には［ｆ＿ＬＯ］±［ｆ＿ＩＦ］の成分が存在していなくても、ＬＯ信号には、ＬＯ信号を増幅した増幅回路によるサーマルノイズレベル（熱雑音）の増加が増幅回路の増幅帯域に亘って現れる。ＬＯ信号はミキサ回路を動作させる信号であるという役割を担っているので、ＬＯ信号の振幅レベルとして、ミキサ動作に必要な信号レベル（一般には、＋５〜＋１５［ｄＢｍ］程度）が必要とされる。ＬＯ信号をそのレベルにまで増幅すると、その増幅器の増幅帯域ではサーマルノイズが増幅器の［ＮＦ（雑音指数）＋ＧＬ（線形利得）］倍増幅されることになる。すると、そのサーマルノイズのレベルと、ミキサでの「ｍ＋ｎ＝２」になる次数での変換から生ずる（［ｆ＿ＬＯ］±［ｆ＿ＩＦ］）−［ｆ＿ＬＯ］＝±［ｆ＿ＩＦ］での変換されたサーマルノイズのレベルとが、［ｆ＿ＲＦ］−２×［ｆ＿ＬＯ］＝±ＩＦで発生した所望のＩＦ信号のレベルに比較して無視できないレベルになった場合には、ミキサ回路の特性（主にＮＦ特性）を劣化させる。
【００１４】
図５は、ＬＯ信号に含まれるサーマルノイズの種々のレベルに対するハーモニックミキサ回路の偶数次数（例えば、「ｍ＋ｎ＝２」）の変換損失とＮＦ特性の劣化との関係の一例を示す説明である。図５において、横軸は偶数次数の変換損失［ｄＢ］を示し、縦軸はＮＦ特性の劣化量［ｄＢ］を示す。
【００１５】
［ｆ＿ＬＯ］±［ｆ＿ＩＦ］の周波数成分はＬＯ信号に非常に近い周波数成分になるので（［ｆ＿ＩＦ］＜＜［ｆ＿ＬＯ］より）、ＬＯ信号ラインにこの成分を抑圧するようなフィルタを設けることは困難である。特に、無線通信では、ＲＦ信号はＬＯ信号に比べ非常に低いレベルの信号であるから、ＬＯ信号ラインに（［ｆ＿ＬＯ］±［ｆ＿ＩＦ］）を抑圧するような狭帯域のフィルタを設けることは難しい。
【００１６】
そこで、本発明は、ＬＯ信号に大きなレベルの雑音が存在していても、その雑音の中間周波信号への影響を低減して、特性が劣化することを防止できるハーモニックミキサ回路および特性劣化防止方法を提供することを目的とする。
【課題を解決するための手段】
【００１７】
本発明によるハーモニックミキサ回路は、アンチパラレルダイオードを有し、受信信号入力端子に入力される受信信号と局部発振信号入力端子に入力される局部発振信号とを混合して出力信号を得て、出力信号を出力端子から出力するハーモニックミキサ回路であって、アンチパラレルダイオードの局部発振信号が印加される側の信号から、偶数次の変換モードによる信号成分を検出する検出回路と、検出回路が検出する信号成分を減少させる方向の制御信号をアンチパラレルダイオードに印加する制御回路とを備えたことを特徴とする。
【００１８】
本発明による特性劣化防止方法は、アンチパラレルダイオードを有し、受信信号と局部発振信号とを混合して出力信号を得るハーモニックミキサ回路の特性劣化を抑制する特性劣化防止方法であって、アンチパラレルダイオードの局部発振信号が印加される側の信号から、偶数次の変換モードによる信号成分を検出し、検出した信号成分を減少させる方向の制御信号をアンチパラレルダイオードに印加することを特徴とする。
【発明の効果】
【００１９】
本発明によれば、ＬＯ信号に大きなレベルの雑音が存在していても、その雑音の中間周波信号への影響を低減して、特性が劣化することを防止することができる。
【発明を実施するための最良の形態】
【００２０】
図１は、本発明の概念を示すブロック図である。図１に示すように、受信ハーモニックミキサ回路は、受信信号入力端子２２に入力される受信信号と局部発振信号入力端子２１に入力される局部発振信号とを混合して出力信号を得て、出力信号を出力端子２３から出力するハーモニックミキサ回路であって、アンチパラレルダイオード４の局部発振信号が印加される側の信号から、偶数次の変換モードによる信号成分を検出する検出回路３２と、検出回路３２が検出する信号成分を減少させる方向の制御信号をアンチパラレルダイオードに印加する制御回路３３とを備えている。
【００２１】
以下、本発明の実施形態を図面を参照して説明する。
【００２２】
図２は、本発明による受信ハーモニックミキサ回路の具体例を示す構成図である。図２に示す受信ハーモニックミキサ回路において、互いに逆極性になるように２つのダイオードＤ１，Ｄ２が接続されたアンチパラレルダイオード４の一端Ａに、入力端子１に入力されＬＯ周波数成分の信号のみを通過させるＢＰＦ７を通過したＬＯ信号が印加される。また、アンチパラレルダイオード４の一端Ａには、整合回路になるスタブ５が接続されている。アンチパラレルダイオード４の他端Ｂに、入力端子２に入力されＲＦ周波数成分の信号のみを通過させるＢＰＦ８を通過したＲＦ信号が印加される。また、アンチパラレルダイオード４の他端Ｂには、整合回路になるスタブ６が接続されている。
【００２３】
ＢＰＦ７は、不要波成分であるＩＦ信号、ＲＦ信号およびイメージ信号を抑圧するためのフィルタである。ＢＰＦ８は、不要波成分であるＩＦ信号、ＬＯ信号およびイメージ信号を抑圧するフィルタである。
【００２４】
また、アンチパラレルダイオード４の一端Ａには、ＩＦ周波数成分の信号およびＤＣ成分を通過させる低域通過フィルタ（ＬＰＦ）９が接続されている。そして、ＬＰＦ９を通過した信号のうちＤＣ成分はコンデンサ（キャパシタ）１０によって除去され、コンデンサ１０を通過した信号が、ＩＦ信号として出力端子３から出力される。
【００２５】
また、ＬＰＦ９とコンデンサ１０との間に、ＤＣ成分のみを通過させるＤＣフィード素子としてのＬＰＦ１４が接続されている。
【００２６】
さらに、アンチパラレルダイオード４の一端Ａには、高域通過フィルタ（ＨＰＦ）１１が接続されている。ＨＰＦ１１は、２×ＬＯ周波数成分を通過させ、ＩＦ周波数成分およびＬＯ周波数成分を抑圧するフィルタである。また、ＨＰＦ１１の出力側には、検波回路１２が接続されている。検波回路１２は、ＨＰＦ１１を通過してきた２×ＬＯ周波数成分の信号をＤＣ信号（ＤＥＴ＿Ｖ）に変換する。そして、検波回路１２が出力するＤＣ信号（ＤＥＴ＿Ｖ）は、制御回路１３に入力される。制御回路１３は、入力されるＤＣ信号（ＤＥＴ＿Ｖ）のレベルが最小になるように、制御信号（ＣＴＲＬ＿Ｖ）を［−Ｖｆ〜＋Ｖｆ］（Ｖｆは、ダイオードＤ１，Ｄ２の順方向電圧）の範囲でＬＰＦ１４に出力する回路である。
【００２７】
なお、図２に示す受信ハーモニックミキサ回路は、図４に示された受信ハーモニックミキサ回路に対して、ＨＰＦ１１、検波回路１２および制御回路１３が付加された回路に相当する。また、図４に示された受信ハーモニックミキサ回路では、この実施形態における制御信号（ＣＴＲＬ＿Ｖ）の電位が常に０（ＧＮＤレベル）になっている回路に相当する。
【００２８】
アンチパラレルダイオード４が理想的な回路であった場合、すなわちダイオードＤ１，Ｄ２の特性が全く同じである場合には、受信ハーモニックミキサ回路の特性劣化は生じない。しかし、実際には、アンチパラレルダイオード４におけるダイオードＤ１，Ｄ２の特性には差異がある。すなわち、ダイオードＤ１，Ｄ２の特性はアンバランスである。特性のアンバランスに起因して、偶数次数の変換モードが存在することになる。
【００２９】
一例として、図３に示すように、ダイオードＤ１，Ｄ２のしきい値Ｖt1，Ｖt2が等しくない場合には、受信ハーモニックミキサ回路において偶数次の変換モードが現れる。
【００３０】
次に、受信ハーモニックミキサ回路に入力される信号について考察する。なお、以下の説明では、ＲＦ信号周波数成分を［ｆ＿ＬＯ］＋［ｆ＿ＩＦ］とし、イメージ信号の周波数成分を［ｆ＿ＬＯ］−［ｆ＿ＩＦ］として説明を行う。しかし、ＲＦ信号とイメージ信号の周波数関係が逆の場合でも、ＲＦ信号周波数成分とイメージ信号の周波数成分とを置き換えれば、以下の説明は成り立つ。
【００３１】
入力端子２から、ＲＦ信号が入力される。ＲＦ信号から周波数がかけ離れた成分（［ｆ＿ＬＯ］±［ｆ＿ＩＦ］）や［ｆ＿ＩＦ］の成分は、ＲＦ信号ラインに設けられているＢＰＦ８で抑圧される。ＩＦ信号の周波数が比較的高い場合には、ＢＰＦ８でイメージ信号も抑圧される。また、ＩＦ信号の周波数が低くＢＰＦ８での抑圧が不可能な場合には、例えば、イメージキャンセル構造をとることによって、イメージ信号の周波数成分の影響を低く抑えることができる。
【００３２】
また、入力端子１からＬＯ信号が入力される。無線通信ではＲＦ信号のレベルが非常に微弱であるのに対して、ＬＯ信号はミキサを動作させるために＋５〜＋１５［ｄＢｍ］程度のレベルが必要である。ＬＯ信号をそのレベルにまで増幅させると、ＬＯ信号の周波数の近辺においてサーマルノイズレベルの増加が生ずる。サーマルノイズのうち受信ＩＦ信号に変換される成分になりうるＲＦ信号に含まれるイメージ信号帯（２×［ｆ＿ＬＯ］±［ｆ＿ＩＦ］）の信号やＩＦ信号帯の信号は、周波数がＬＯ信号帯から十分離れているので、それらをＢＰＦ８で抑圧することが可能である。しかし、ＬＯ信号帯に近い周波数である（［ｆ＿ＬＯ］±［ｆ＿ＩＦ］）成分をＢＰＦ８で抑圧することは困難である。
【００３３】
そこで、ミキサ自体が（［ｆ＿ＬＯ］±［ｆ＿ＩＦ］）−［ｆ＿ＬＯ］＝±［ｆ＿ＩＦ］すなわち「ｍ＋ｎ＝２」になるような変換モードを持たなくなるようにする工夫を行うことが求められる。
【００３４】
上述したように、そもそも「ｍ＋ｎ＝２」の変換モードは、アンチパラレルダイオード４を構成する２つのダイオードＤ１，Ｄ２の特性が全く同じであるような理想的なアンチパラレルダイオード４を用いたハーモニックミキサ回路では存在しない変換次数である。２つのダイオードＤ１，Ｄ２の特性ばらつきに起因して、アンチパラレルダイオード４の奇関数特性がずれた場合に偶数次の変換モードが発生する。
【００３５】
そこで、本実施形態では、アンチパラレルダイオード４にオフセット電圧（ＣＴＲＬ＿Ｖ）を加え、アンチパラレルダイオード４の動作点を、２つのダイオードＤ１，Ｄ２の特性の差異を打ち消す位置に定めることによって、偶数次の変換モードをなくすようにする。
【００３６】
動作点を決めるオフセット電圧（ＣＴＲＬ＿Ｖ）の値を決定する場合に、本実施形態では、同じ「ｍ＋ｎ＝２」の偶数モードで変換されている（２×［ｆ＿ＬＯ］）の値を検波し、（２×［ｆ＿ＬＯ］）の値を最小にするようにフィードバック制御を行う。
【００３７】
サーマルノイズの影響を抑制するために所定の周波数帯の信号を検波する方法を採用する場合に、入力端子２に入力される入力信号（ＲＦ信号）の振幅は微弱であるから、ＲＦ信号を変換した信号を検波することは難しい。また、特性劣化の原因である入力端子１からのＬＯ信号に含まれる［ｆ＿ＬＯ］±［ｆ＿ＩＦ］の成分のサーマルノイズの信号レベルは、入力端子２に入力されるＲＦ信号のレベルと同程度である。従って、サーマルノイズを起因として偶数モードでＩＦ周波数帯に変換された信号を検波することも難しい。なお、ＲＦ信号からＩＦ信号に変換されたレベルと同程度であるから影響が生ずるのであって、それ以上の信号レベルであればＩＦ信号の検出自体ができなくなることになる。
【００３８】
ところが、受信ハーモニックミキサ回路を動作させるためにＬＯ信号の振幅は大きなレベルになっている。従って、ＬＯ信号の偶数次数の２×［ｆ＿ＬＯ］成分の振幅も容易に検出可能なレベルになる。また、通常、［ｆ＿ＩＦ］＜＜［ｆ＿ＬＯ］であるから、２×［ｆ＿ＬＯ］はＬＰＦ９によって抑圧されＩＦ信号を出力する出力端子３には現れない。
【００３９】
そこで、本実施形態では、ＨＰＦ１１によって、ＬＰＦ９の前段から、「ｍ＋ｎ＝２」の変換モードで変換され、かつ、信号レベルが高い２×［ｆ＿ＬＯ］の成分のみを取り出す。そして、検波回路１２は、ＨＰＦ１１を通過した信号レベルを検波する。すなわち、「ｍ＋ｎ＝２」の変換モードの変換量に相当するレベルを検出する。検波回路１２は、２×ＬＯ周波数成分の信号をＤＣ信号（ＤＥＴ＿Ｖ）に変換する。そして、制御回路１３は、偶数次の変換モードの変換量が最小（変換損失が最大）になるように、具体的には、ＤＣ信号（ＤＥＴ＿Ｖ）の大きさが最小になるように、オフセット電圧（ＣＴＲＬ＿Ｖ）を決定する。
【００４０】
制御回路１３は、オフセット電圧（ＣＴＲＬ＿Ｖ）をＬＰＦ１４に出力する。オフセット電圧（ＣＴＲＬ＿Ｖ）はＬＰＦ１４を通過し、コンデンサ１０によって阻止されて出力端子３側には現れないが、ＬＰＦ９を通過して、アンチパラレルダイオード４の一端Ａに加えられる。
【００４１】
上述したように、オフセット電圧（ＣＴＲＬ＿Ｖ）は、２×［ｆ＿ＬＯ］の周波数成分のレベルを最小にするような電圧である。換言すれば、アンチパラレルダイオード４が、オフセット電圧（ＣＴＲＬ＿Ｖ）によって決められる動作点が定められることによって、２×［ｆ＿ＬＯ］の周波数成分のレベルが最小になる。
【００４２】
ＨＰＦ１１を通過する（２×［ｆ＿ＬＯ］）の周波数成分は、「ｍ＋ｎ＝２」の偶数モードで変換されている。すると、その変換と等価な次数の変換である（［ｆ＿ＬＯ］±［ｆ＿ＩＦ］）−［ｆ＿ＬＯ］＝±［ｆ＿ＩＦ］による『ＬＯ信号近辺（［ｆ＿ＬＯ］±［ｆ＿ＩＦ］）のノイズのＩＦ周波数帯への変換』も最小になる。すなわち、受信ハーモニックミキサ回路に入力される「ＬＯ信号に含まれるノイズ成分（［ｆＬＯ］±［ｆ＿ＩＦ］）」による、受信ハーモニックミキサ回路のＮＦ特性の劣化を抑えることができる。
【００４３】
本発明による受信ハーモニックミキサ回路は、「ＬＯ信号に含まれるノイズ成分（［ｆＬＯ］±［ｆ＿ＩＦ］）」がアンチパラレルダイオード４の特性のばらつきに起因して生じる「ｍ＋ｎ＝２」の変換モードによってＩＦ周波数帯に変換されていることに着目し、実質的にアンチパラレルダイオード４の特性のばらつきがなくなるように、すなわち、「ｍ＋ｎ＝２」の変換モードを持たなくなるように、オフセット電圧をアンチパラレルダイオード４かける。その結果、ＬＯ信号に（［ｆＬＯ］±［ｆ＿ＩＦ］）帯域における大きなサーマルノイズが存在していても、ＩＦ信号への影響を低く抑え、受信ハーモニックミキサ回路のＮＦ特性の劣化を抑えることができる。
【００４４】
なお、特許文献１に記載されたハーモニックミキサ回路でも、不要な変換モードを抑圧するために、アンチパラレルダイオードの動作点を変えている。しかし、特許文献１に記載されたハーモニックミキサ回路は、送信ハーモニックミキサ回路であるから、発生した不要波自体を直接観測できるが、本実施形態のような受信ハーモニックミキサ回路では、不要波になる信号のレベルを直接観測することは困難である。そこで、本実施形態のように、不要波になる信号に関する変換モードと同じ変換モード（「ｍ＋ｎ＝２」）であり、かつ、信号レベルが高い２×［ｆ＿ＬＯ］の成分を検出して、そのレベルにもとづく制御を行うことによって、不要波のＩＦ信号への影響を低減できるようになる。
【００４５】
また、本実施形態は、図４に例示されたような一般的な受信ハーモニックミキサ回路に対して比較的簡易な回路をＩＦ信号ラインに追加するだけでよいので、すなわち、複雑な回路（例えば、ＬＯ信号ラインに挿入される（［ｆ＿ＬＯ］±［ｆ＿ＩＦ］）の成分を抑圧するような狭帯域のフィルタ）を設ける必要はなく、受信ハーモニックミキサ回路のコストを大きく上昇させたりすることもない。
【産業上の利用可能性】
【００４６】
本発明を、マイクロ波帯やミリ波帯等の無線通信における受信回路に好適に適用することができる。
【図面の簡単な説明】
【００４７】
【図１】本発明の概念を示すブロック図である。
【図２】本発明による受信ハーモニックミキサ回路の具体例を示す構成図である。
【図３】アンチパラレルダイオードのＤＣ特性のばらつきを説明するための説明図である。
【図４】一般的な受信ハーモニックミキサ回路の構成を示す構成図である。
【図５】ハーモニックミキサ回路の偶数次数の変換損失とＮＦ特性の劣化との関係の一例を示す説明である。
【符号の説明】
【００４８】
１    入力端子
２    入力端子
３    出力端子
４    アンチパラレルダイオード
５，６  スタブ
７    帯域通過フィルタ（ＢＰＦ）
８    帯域通過フィルタ（ＢＰＦ）
９    低域通過フィルタ（ＬＰＦ）
１０  コンデンサ（キャパシタ）
１１  高域通過フィルタ（ＨＰＦ）
１２  検波回路
１３  制御回路
１４  低域通過フィルタ（ＬＰＦ）
２１  局部発振信号入力端子
２２  受信信号入力端子
２３  出力端子
３２  検出回路
３３  制御回路
【図１】
2010154048.tif 000003
【図２】
2010154048.tif 000004
【図３】
2010154048.tif 000005
【図４】
2010154048.tif 000006
【図５】
2010154048.tif 000007